(57)【要約】      （修正有）【課題】従来に比して安価な電源をファン付き衣服に利用することが可能なファン付き衣服用電力ケーブルを提供する。【解決手段】ファン付き衣服用電力ケーブル１００は、入力側ケーブル１と、収容部２とを備えている。入力側ケーブル１の先端には、ＵＳＢのオス側コネクタ１１が設けられており、当該オス側コネクタ１１を、携帯電話の充電用バッテリに設けられたＵＳＢのメス側コネクタに接続可能である。収容部２には、オン／オフ切替用のスイッチ３と、出力側コネクタ５とが設けられる。出力側コネクタ５には、ファン付き衣服のファンから延設されたケーブルの先端のコネクタが接続可能である。収容部２には、昇圧回路が内蔵されており、充電用バッテリから与えられる電圧を昇圧して出力する。【選択図】図１
0003187092.tif 000002
【実用新案登録請求の範囲】
【請求項１】
ファンによって衣服内に外気を取り入れるファン付き衣服の前記ファンと、携帯電話機の充電用バッテリとを接続し、前記充電用バッテリから前記ファンに電力を供給するための電力ケーブルであって、
前記充電用バッテリに接続するための入力側コネクタと、
前記ファンに接続するための出力側コネクタと、
前記充電用バッテリによって前記入力側コネクタに与えられる入力電圧を所定の電圧値まで上昇させ、上昇された電圧を前記出力側コネクタへ出力する昇圧回路と、
前記昇圧回路が収容された収容部と、
を備え、
前記収容部は、前記出力側コネクタへの出力のオン／オフを切り替えるためのスイッチを具備する、
ファン付き衣服用電力ケーブル。
【請求項２】
前記収容部は、前記ファン付き衣服に前記収容部を取り付けるための留め具をさらに具備する、
請求項１に記載のファン付き衣服用電力ケーブル。
【請求項３】
前記収容部は、直方体形状をなしており、前記留め具が設けられている面とは異なる面に前記スイッチが設けられている、
請求項２に記載のファン付き衣服用電力ケーブル。
【請求項４】
前記収容部は、前記留め具が設けられている面の反対面とは異なる面に前記スイッチが設けられている、
請求項３に記載のファン付き衣服用電力ケーブル。
【請求項５】
前記収容部は、前記留め具が設けられている面と直交する面に前記スイッチが設けられている、
請求項４に記載のファン付き衣服用電力ケーブル。
【請求項６】
前記出力側コネクタは、前記ファンから延設されたケーブルの先端に設けられたコネクタに接続可能に構成されており、
前記収容部は、その同一面に、前記スイッチと、前記出力側コネクタとが設けられている、
請求項４又は５に記載のファン付き衣服用電力ケーブル。
【請求項７】
前記収容部の一面から延設された出力側ケーブルをさらに備え、
前記出力側コネクタは、前記出力側ケーブルの先端に設けられており、
前記収容部は、前記出力側ケーブルが設けられた面に、前記スイッチが設けられている、
請求項４又は５に記載のファン付き衣服用電力ケーブル。
【考案の詳細な説明】
【技術分野】
【０００１】
本考案は、ファン付き衣服のファンに電力を供給するための電力ケーブルに関する。
【背景技術】
【０００２】
ファンによって衣服の内部に空気を送り込み、衣服の内部における通風により汗の気化を促して、着用者の身体を冷却するファン付き衣服が知られている。
【０００３】
例えば、特許文献１には、かかる複数のファンが設けられた空調服が開示されている。この特許文献１に記載されている空調服では、衣服の裏面に設けられたポケットに二次電池である電源部を収納し、この電源部とファンとを電源ケーブルで接続することによって、ファンに電力を供給するようになっている。
【先行技術文献】
【特許文献】
【０００４】
【特許文献１】特開２００６−１３２０４０号公報
【考案の概要】
【考案が解決しようとする課題】
【０００５】
しかしながら、上述したような従来のファン付き衣服にあっては、専用の高価な電源部を用いる必要があった。
【０００６】
本考案は斯かる事情に鑑みてなされたものであり、その主たる目的は、従来に比して安価な電源をファン付き衣服に利用することが可能な電力ケーブルを提供することにある。
【課題を解決するための手段】
【０００７】
上述した課題を解決するために、本考案の一の態様のファン付き衣服用電力ケーブルは、ファンによって衣服内に外気を取り入れるファン付き衣服の前記ファンと、携帯電話機の充電用バッテリとを接続し、前記充電用バッテリから前記ファンに電力を供給するための電力ケーブルであって、前記充電用バッテリに接続するための入力側コネクタと、前記ファンに接続するための出力側コネクタと、前記充電用バッテリによって前記入力側コネクタに与えられる入力電圧を所定の電圧値まで上昇させ、上昇された電圧を前記出力側コネクタへ出力する昇圧回路と、前記昇圧回路が収容された収容部と、を備え、前記収容部は、前記出力側コネクタへの出力のオン／オフを切り替えるためのスイッチを具備する。
これにより、安価な携帯電話の充電用バッテリをファン付き衣服のファンに接続して、前記ファンを駆動することが可能となる。
【０００８】
この態様において、前記収容部は、前記ファン付き衣服に前記収容部を取り付けるための留め具をさらに具備していてもよい。
これにより、ファン付き衣服に留め具を係合させることで、ファン付き衣服に収容部を固定することができる。
【０００９】
上記の態様において、前記収容部は、直方体形状をなしており、前記留め具が設けられている面とは異なる面に前記スイッチが設けられていてもよい。
収容部において、留め具が設けられた面はファン付き衣服への取り付け面となるが、この面とは異なる面にスイッチが設けられるので、ファン付き衣服の着用者がスイッチの操作を容易に行うことが可能となる。
【００１０】
上記の態様において、前記収容部は、前記留め具が設けられている面の反対面とは異なる面に前記スイッチが設けられていてもよい。
収容部において、留め具が設けられた面の反対面は外側（ファン付き衣服の着用者の身体から離反する側）に位置することとなるが、着用者が作業等を行っているときに、この外側面に着用者の腕等が触れやすい。そこで、上記のように構成することにより、この外側面にスイッチが設けられないので、スイッチが着用者の腕等に触れることで誤操作が生じることを防止することが可能となる。
【００１１】
上記の態様において、前記出力側コネクタは、前記ファンから延設されたケーブルの先端に設けられたコネクタに接続可能に構成されており、前記収容部は、その同一面に、前記スイッチと、前記出力側コネクタとが設けられていてもよい。
出力側コネクタには、ファンから延設されたケーブルの先端のコネクタが接続されるため、このケーブルによって、収容部における出力側コネクタが設けられた面が着用者の身体に対向することが防止される。このため、スイッチが着用者の身体に触れることが防止され、誤操作の発生が防止される。
【００１２】
上記の態様において、前記収容部の一面から延設された出力側ケーブルをさらに備え、前記出力側コネクタは、前記出力側ケーブルの先端に設けられており、前記収容部は、前記出力側ケーブルが設けられた面に、前記スイッチが設けられていてもよい。
収容部の出力側ケーブルが設けられた面は、出力側ケーブルがあることによって、着用者の身体に対向することが防止される。このため、スイッチが着用者の身体に触れることが防止され、誤操作の発生が防止される。
【考案の効果】
【００１３】
本考案に係るファン付き衣服用電力ケーブルによれば、安価な携帯電話の充電用バッテリをファン付き衣服に利用することが可能となる。
【図面の簡単な説明】
【００１４】
【図１】実施の形態に係るファン付き衣服用電力ケーブルの外観構成を示す斜視図。
【図２】収容部の構成を示す正面図。
【図３】収容部の構成を示す右側面図。
【図４】収容部の構成を示す平面図。
【図５】収容部の構成を示す背面図。
【図６】昇圧回路の構成を示す回路図。
【考案を実施するための形態】
【００１５】
以下、本考案の好ましい実施の形態を、図面を参照しながら説明する。
【００１６】
図１は、本実施の形態に係るファン付き衣服用電力ケーブルの外観構成を示す斜視図である。
【００１７】
図１に示すように、本実施の形態に係るファン付き衣服用電力ケーブル１００は、入力側ケーブル１と、収容部２とを備えている。
【００１８】
入力側ケーブル１は、ＵＳＢ(Universal Serial Bus)のＡオス側コネクタである入力側コネクタ１１を一端に有しており、ＵＳＢのマイクロＡオス側コネクタを他端に有している。
【００１９】
収容部２は、直方体形状をなす筐体であり、その内部に後述するような昇圧回路を収容している。図２は収容部２の構成を示す正面図であり、図３はその右側面図であり、図４はその平面図であり、図５はその背面図である。
【００２０】
図４に示すように、収容部２の上面２ｃには、ＵＳＢのマイクロメス側コネクタ２１が設けられている。このマイクロメス側コネクタ２１に、入力側ケーブルのマイクロＡオス側コネクタを接続することが可能である。
【００２１】
また、図３に示すように、収容部２の右側面２ｂには、スイッチ３と、出力側コネクタ５とが設けられている。
【００２２】
スイッチ３は、３極型のロッカースイッチであり、出力のオン／オフ及び出力電圧の強弱の切り替えが可能である。ロッカースイッチ３の操作部３１は、３位置に切り替え可能となっており、一方側に傾けた位置（以下、「強位置」という）の場合には、高い出力電力が発生され、他方側に傾けた位置（以下、「弱位置」という）の場合には、低い出力電力が発生され、強位置と弱位置との間の位置（以下、「切断位置」という）の場合には電力の出力が停止される。
【００２３】
出力側コネクタ５は、一般社団法人電子情報技術産業協会（ＪＥＩＴＡ）によって策定された規格ＲＣ−５３２０Ａによって規定されたメス側コネクタである。かかる出力側コネクタ５は、後述するように、ファン付き衣服のファンに接続されたケーブルの先端に設けられたオス側コネクタと接続可能である。
【００２４】
図５に示すように、収容部２の背面２ｄには、留め具６が設けられている。この留め具６は、クリップ型の留め具であり、ファン付き衣服の裏面に設けられたバッテリ収納用ポケットに当該留め具６を係合させることで、収容部２を前記ポケットに固定させることが可能である。
【００２５】
また、図２に示すように、収容部２の正面２ａは、何も設けられておらず、平坦面とされている。また、収容部２の左側面及び底面も、何も設けられていない平坦面とされている。
【００２６】
次に、昇圧回路の構成について説明する。図６は、昇圧回路の構成を示す回路図である。
【００２７】
昇圧回路７は、昇圧型ＤＣ−ＤＣコンバータ７１と、チョッパーコイルＬ１と、入力側コンデンサＣｉｎ，Ｃｉｎｘと、ダイオードＤ１と、出力側コンデンサＣｏｕｔとを備えている。また、かかる昇圧回路７の出力側には、上述したスイッチ３が接続されている。
【００２８】
昇圧型ＤＣ−ＤＣコンバータ７１は、集積回路（ＩＣ）であり、複数の端子を有している。かかる昇圧型ＤＣ−ＤＣコンバータ７１は、ＰＷＭ制御によってＳＷ端子をオン／オフする機能を有している。本実施の形態では、昇圧型ＤＣ−ＤＣコンバータ７１として、テキサスインスツルメンツ社製のＴＰＳ５５３３０が用いられている。
【００２９】
ＶＩＮ端子は、昇圧型ＤＣ−ＤＣコンバータ７１の入力電源ピンであり、入力側コネクタ１１を介して、携帯電話の充電用バッテリに接続される。また、かかるＶＩＮ端子には、入力側コンデンサＣｉｎ，Ｃｉｎｘの並列回路が接続されている。チョッパーコイルＬ１の一端は、直流電源（充電用バッテリ）、入力側コンデンサＣｉｎ，Ｃｉｎｘの並列回路とＶＩＮ端子との中間節点に接続されている。
【００３０】
チョッパーコイルＬ１の他端には、ダイオードＤ１のアノード側が接続されており、かかるチョッパーコイルＬ１とダイオードＤ１との中間節点に、昇圧型ＤＣ−ＤＣコンバータ７１のＳＷ端子が接続されている。ダイオードＤ１のカソード側は、２つの抵抗Ｒｆｂｔ，Ｒｆｂｂからなる分圧回路、出力側コンデンサ、及びスイッチ３と出力側コネクタ５との直列回路が並列接続されている。
【００３１】
分圧回路７２の中間節点は、昇圧型ＤＣ−ＤＣコンバータ７１のＦＢ端子に接続されている。ＦＢ端子は正電圧レギュレーション用の帰還ピンである。分圧回路７２の抵抗の組み合わせにより、ＰＷＭ制御のデューティー比が決定され、入力電圧が当該デューティー比に応じた出力電圧に変換される。
【００３２】
また、スイッチ３の弱位置に対応する端子には、出力調整用の抵抗Ｒｓｗが接続されている。これに対して、スイッチ３の強位置に対応する端子には、抵抗は接続されていない。これにより、スイッチ３が強位置に設定されると所定の高い電力が発生され、スイッチ３が弱位置に設定されると上記の強位置の場合に比べて低い電力が発生される。なお、昇圧回路７への入力電圧が５Ｖである場合、スイッチ３が強位置及び弱位置に入れられたときの出力電圧は、共に７．４Ｖである。
【００３３】
上記のような電力ケーブル１００は、携帯電話の充電用バッテリ２００に入力側が接続され、ファン付き衣服のファン３００に出力側が接続される（図６参照）。
【００３４】
携帯電話の充電用バッテリは、携帯電話（多機能携帯電話を含む）を充電するための外部電源であり、ＵＳＢのＡメス側コネクタを有している。この種の充電用バッテリは、一般的にリチウムイオン二次電池を内蔵しており、５Ｖの出力電圧を発生する。かかる充電用バッテリは、様々なメーカーによって製造されており、低価格で市販されている。
【００３５】
電力ケーブル１００を使用する際、電力ケーブル１００の入力側コネクタ１１が、上述したような充電用バッテリ２００のＵＳＢのＡメス側コネクタに接続される。
【００３６】
ファン付き衣服は、例えば特許文献１に記載されているように、複数のファンを有している。これらのファンは直流モータを有するものであって、一般的にその定格電圧は７．４Ｖとされている。また、ファンからは電力供給用のケーブルが延設されており、その先端にはＲＣ−５３２０Ａによって規定されたオス側コネクタが設けられている。
【００３７】
電力ケーブル１００を使用する際、電力ケーブル１００の出力側コネクタ５に、上述したようなファン３００から延設されたケーブルのオス側コネクタが接続される。これにより、複数のファン３００に同時に電力が供給されるようになる。
【００３８】
ファン付き衣服の裏面には、バッテリ収納用のポケットが設けられている。ファン付き衣服の着用者は、当該ポケットに、充電用バッテリ２００と、電力ケーブル１００の収容部２を収納する。また、このとき着用者は、収容部２に設けられた留め具６を、前記ポケットに係合させる。これにより、収容部２が前記ポケットに固定され、収容部２が前記ポケットから脱落することが防止される。
【００３９】
上述したように収容部２がポケットに固定されると、収容部２の背面２ｄ（即ち、留め具６が設けられた面）が着用者の胴体側（内側）に位置することとなる。したがって、当該背面２ｄの反対面である収容部２の正面２ａは、着用者の胴体から離反する側（外側）に位置する。このように外側に位置する収容部２の正面２ａには、着用者の腕等が当たりやすいが、上述したように、収容部２の正面２ａにはスイッチ３が設けられておらず、たとえ着用者の腕等が収容部２の正面２ａに触れたとしても、それによってスイッチ３が押されることがなく、電力ケーブル１００の誤操作を防止することができる。
【００４０】
また、収容部２の背面２ｄには、留め具６のみが設けられているのであって、スイッチ３は設けられていない。留め具６が設けられた背面２ｄはファン付き衣服への取り付け面となり、背面２ｄにはファン付き衣服のポケットの布面が接することとなる。このため、着用者が背面２ｄを手で触れることは容易ではない。本実施の形態では、この背面２ｄとは異なる面（右側面２ｂ）にスイッチ３が設けられるので、ファン付き衣服の着用者がスイッチの操作を容易に行うことが可能となる。
【００４１】
また、収容部２の右側面２ｂには、スイッチ３と出力側コネクタ５とが並設されている。出力側コネクタ５には、上述したようにファン３００から延設されたケーブルが接続されるので、このケーブルによって右側面２ｂの周囲には空間が形成されやすい。このため、スイッチ３が他の物（例えば、着用者の身体等）に触れることが防止され、電力ケーブル１００の誤操作を防止することができる。
【００４２】
着用者は、ファン付き衣服を使用する際、スイッチ３を弱位置又は強位置に入れる。スイッチ３が強位置又は弱位置に入れられると、携帯電話の充電用バッテリ２００から出力される５Ｖの電圧が、昇圧回路７によって７．４Ｖに昇圧され、この７．４Ｖの出力電圧がファン３００に印可される。
【００４３】
また着用者は、ファンの送風を強くしたい場合には、スイッチ３を強位置に入れ、ファンの送風を弱めたい場合には、スイッチ３を弱位置に入れる。スイッチ３が強位置に入れられると、所定の出力電力がファンに与えられ、ファンから単位時間当たり所定の風量で送風が行われる。また、スイッチ３が弱位置に入れられると、強位置の場合よりも低い出力電力がファンに与えられ、強位置の場合よりも単位時間当たりの風量が低くなり、ファンの送風が弱まる。
【００４４】
また、着用者は、ファン付き衣服を停止する場合、スイッチ３を切断位置に入れる。スイッチ３が切断位置に入れられると、昇圧回路７が切断され、ファン３００への電力供給が停止される。
【００４５】
（その他の実施の形態）
上記の実施の形態においては、収容部２をファン付き衣服に固定するための留め具６を設ける構成について述べたが、これに限定されるものではない。収容部２に留め具６を設けない構成とすることも可能である。
【００４６】
また、留め具６をクリップ型の構成としたが、これに限定されるものではない。例えば、面ファスナーの一方の部材を収容部２の背面２ｄに取り付け、面ファスナーの他方の部材をファン付き衣服のポケットの内側に取り付けて、これらの部材同士を結合させることによって、収容部２をポケットの内部に固定することも可能である。
【００４７】
また、上記の実施の形態においては、入力側ケーブル１がＵＳＢのマイクロＡオス側コネクタを一端に有しており、このコネクタを、収容部２の上面２ｃに設けられたＵＳＢのマイクロメス側コネクタ２１に接続する構成について述べたが、これに限定されるものではない。入力側ケーブルの一端を、収容部２の上面２ｃに固定的に（着脱不能に）接続することも可能である。
【００４８】
また、上記の実施の形態においては、スイッチ３が収容部２の右側面２ｂに設けられる構成について述べたが、これに限定されるものではない。スイッチ３を収容部２の右側面２ｂ以外の面に設ける構成とすることも可能である。但し、操作性の観点からは、留め具６が設けられている収容部２の背面２ｄ以外の面にスイッチ３を設ける構成とすることが好ましい。また、誤操作防止の観点からは、着用者の腕等に当たりやすい正面２ａ以外の面に設ける構成とすることが好ましく、さらには、留め具６が設けられている背面２ｄとは直交する面（右側面、左側面、上面、底面）にスイッチ３を設けることが好ましい。
【００４９】
また、上記の実施の形態においては、ファンから延設されたケーブルの先端にＲＣ−５３２０Ａのオス側コネクタが設けあれており、このオス側コネクタを、収容部２の右側面２ｂに設けられた出力側コネクタ５に接続する構成について述べたが、これに限定されるものではない。収容部２の右側面２ｂから、固定的に（着脱不能に）出力側ケーブルを延設し、その出力側ケーブルの先端にファン接続用のコネクタを設け、出力側ケーブルをファンに接続する構成とすることも可能である。この場合、収容部２の出力側ケーブルが設けられた面（右側面）と同一面にスイッチ３を設けると、この出力側ケーブルによって右側面２ｂの周囲には空間が形成されやすくなり、スイッチ３が他の物（例えば、着用者の身体等）に触れることが防止され、電力ケーブル１００の誤操作を防止することが可能となる。
【産業上の利用可能性】
【００５０】
本考案に係るファン付き衣服用電力ケーブルは、ファン付き衣服のファンに電力を供給するための電力ケーブルとして有用である。
【符号の説明】
【００５１】
１００  電力ケーブル
１  入力側ケーブル
１１  入力側コネクタ
２  収容部
２ａ  正面
２ｂ  右側面
２ｃ  上面
２ｄ  背面
２１  ＵＳＢマイクロメス側コネクタ
３  スイッチ
５  出力側コネクタ
６  留め具
７  昇圧回路
７１  昇圧型ＤＣ−ＤＣコンバータ
７２  分圧回路
Ｃｉｎ，Ｃｉｎｘ  入力側コンデンサ
Ｌ１  チョッパーコイル
Ｄ１  ダイオード
Ｃｏｕｔ  出力側コンデンサ
【図１】
0003187092.tif 000003
【図２】
0003187092.tif 000004
【図３】
0003187092.tif 000005
【図４】
0003187092.tif 000006
【図５】
0003187092.tif 000007
【図６】
0003187092.tif 000008